(57)【要約】【課題】  吐出筒部からファンケース内に入ろうとする水を阻止できるブロワーを得る。【解決手段】  ファンケース１内にファンを回転自在に内蔵させ、ファンを回転駆動源で回転駆動して、ファンケース１の吐出筒部２から送風を行う。吐出筒部２内に、送風停止時に吐出筒部２内を塞ぐと共に送風時に吐出筒部２内を開くブレード３を設ける。【選択図】    図１
2005226589.tif 000002
【特許請求の範囲】
【請求項１】
ファンケース内にファンが回転自在に内蔵され、前記ファンが回転駆動源で回転駆動されて、前記ファンケースの吐出筒部から送風を行うブロワーにおいて、
前記吐出筒部内に、送風停止時に該吐出筒部内を塞ぐと共に送風時に該吐出筒部内を開くブレードが設けられていることを特徴とするブロワー。
【請求項２】
前記吐出筒部が水平向きに送風を行うように配置され、前記ブレードは１枚で前記吐出筒部内を塞ぐ構造のものであって、該ブレードは送風停止時に垂直向きで前記吐出筒部内を塞ぐように配置され、垂直向きで待機している前記ブレードは重心が上下方向の下側に存在するように該ブレードの上下方向の中央より上側の位置で水平方向の両側部が回転支持部で回転自在に前記吐出筒部に支持されていることを特徴とする請求項１に記載のブロワー。
【請求項３】
垂直向きで待機している前記ブレードには、前記回転支持部より上側の部分で前記ブレードの一方の面が当接して回転を止める上部ストッパーと、前記回転支持部より下側の部分で前記ブレードの他方の面が当接して回転を止める下部ストッパーとが前記吐出筒部の内面に支持されて設けられていることを特徴とする請求項２に記載のブロワー。
【発明の詳細な説明】
【技術分野】
【０００１】
本発明は、ファンケース内のファンを回転駆動源で回転駆動してファンケースの吐出筒部から送風を行うブロワーに関するものである。
【背景技術】
【０００２】
従来のブロワーは、図５及び図６に示すように、ファンケース１内の図示しないファンを図示しない回転駆動源で回転駆動して、該ファンケース１の外周側に接線方向に突設された筒状の吐出筒部２から送風を行うようになっていた（例えば、特許文献１参照。）。この場合、ブロワーは通常は吐出筒部２が水平向きとなるようにして配置されている。
【０００３】
このような吐出筒部２には、図示しないがダクトを介してホッパー等が接続されている。
【特許文献１】特開２００１−１２３９２号公報（図８）
【発明の開示】
【発明が解決しようとする課題】
【０００４】
しかしながら、このような構造のブロワーが自動車等の車に搭載されている場合、洗車時にホッパー等より水の浸入があり、ダクトを介して水平向きの吐出筒部２からファンケース１の内部に組み込まれているモータよりなる回転駆動源に該水が浸入し、該回転駆動源の不良の原因になる問題点があった。
【０００５】
本発明の目的は、吐出筒部からファンケース内に入ろうとする水を阻止できるブロワーを提供することにある。
【０００６】
本発明の他の目的は、吐出筒部からファンケース内に入ろうとする水を、簡単な構造で阻止できるブロワーを提供することにある。
【課題を解決するための手段】
【０００７】
本発明は、ファンケース内にファンが回転自在に内蔵され、前記ファンが回転駆動源で回転駆動されて、前記ファンケースの吐出筒部から送風を行うブロワーを対象とする。
【０００８】
本発明に係るブロワーでは、前記吐出筒部内に、送風停止時に該吐出筒部内を塞ぐと共に送風時に該吐出筒部内を開くブレードが設けられていることを特徴とする。
【０００９】
この場合、前記吐出筒部が水平向きに送風を行うように配置され、前記ブレードは１枚で前記吐出筒部内を塞ぐ構造のものであって、該ブレードは送風停止時に垂直向きで前記吐出筒部内を塞ぐように配置され、垂直向きで待機している前記ブレードは重心が上下方向の下側に存在するように該ブレードの上下方向の中央より上側の位置で水平方向の両側部が回転支持部で回転自在に前記吐出筒部に支持されていることが好ましい。
【００１０】
上記垂直向きで待機している前記ブレードには、前記回転支持部より上側の部分で前記ブレードの一方の面が当接して回転を止める上部ストッパーと、前記回転支持部より下側の部分で前記ブレードの他方の面が当接して回転を止める下部ストッパーとが前記吐出筒部の内面に支持されて設けられていることが好ましい。
【発明の効果】
【００１１】
本発明に係るブロワーでは、吐出筒部内に、送風停止時に該吐出筒部内を塞ぐと共に送風時に該吐出筒部内を開くブレードが設けられているので、送風停止時に該吐出筒部内に外側から水が浸入しようとしても、該吐出筒部内はブレードで塞がれていてファンケース内への水の浸入を阻止することができる。吐出筒部からの送風時には、送風による風圧でファンケース内への水の浸入を阻止することができる。
【００１２】
この場合、吐出筒部が水平向きに送風を行うように配置され、ブレードは１枚で吐出筒部内を塞ぐ構造のものであって、該ブレードは送風停止時に垂直向きで吐出筒部内を塞ぐように配置され、垂直向きで待機しているブレードは重心が上下方向の下側に存在するように該ブレードの上下方向の中央より上側の位置で水平方向の両側部が回転支持部で回転自在に吐出筒部に支持されていると、簡単な構造の安価なブレードでファンケース内への水の浸入を阻止することができる。
【００１３】
また、上記垂直向きで待機しているブレードには、回転支持部より上側の部分でブレードの一方の面が当接して回転を止める上部ストッパーと、回転支持部より下側の部分でブレードの他方の面が当接して回転を止める下部ストッパーとが吐出筒部の内面に支持されて設けられていると、垂直向きで待機しているブレードの待機姿勢の維持をこれら上部ストッパーと下部ストッパーと良好に行うことができる。
【発明を実施するための最良の形態】
【００１４】
本発明のブロワーを実施するための最良の形態の一例を図１（Ａ）（Ｂ）乃至図４（Ａ）（Ｂ）を参照して説明する。図１（Ａ）は本例のブロワーの吐出筒部にブレードを組み込んだ状態の正面図、図１（Ｂ）は図１（Ａ）のＸ−Ｘ線断面図、図２（Ａ）は本例のブロワーの吐出筒部にブレードを組み込んでいない状態の正面半図、図２（Ｂ）は図２（Ａ）の縦断面図、図３（Ａ）（Ｂ）は本例で用いているブレードの正面図及び側面図、図４（Ａ）は本例のブロワーの吐出筒部内でブレードが開いた状態の正面図、図４（Ｂ）は図４（Ａ）のＸ−Ｘ線断面図である。
【００１５】
本例のブロワーは、前述した図５に示すように、ファンケース１内に図示しないがファンが回転自在に内蔵され、該ファンは図示しない回転駆動源で回転駆動されて、ファンケース１の吐出筒部２から送風を行うようになっている点は、従来と同じである。
【００１６】
本例のブロワーでは、図１（Ｂ）及び図４（Ｂ）に示すように、吐出筒部２は水平向きに送風を行うように配置されている。
【００１７】
このようなブロワーの吐出筒部２内には、ブレード３が組み込まれている。ブレード３は、図１（Ａ）（Ｂ）に示すように送風停止時には該吐出筒部２内を塞ぐと共に、図４（Ａ）（Ｂ）に示すように送風時には該吐出筒部２内を開くように設けられている。
【００１８】
ブレード３は、図３（Ａ）（Ｂ）に示すように、１枚で吐出筒部２内を塞ぐ円板形の構造となっている。該ブレード３は、図１（Ａ）（Ｂ）に示すように、送風停止時に垂直向きで吐出筒部２内を塞ぐように配置されている。垂直向きで待機しているブレード３は、重心が上下方向の下側に存在するように該ブレード３の上下方向の中央Ｐより上側の位置で水平方向の両側部が突起よりなる回転支持部３ａで回転自在に吐出筒部２の孔４（図２参照）に支持されている。また、垂直向きで待機しているブレード３には、回転支持部３ａより上側の部分で該ブレード３の一方の面が当接して回転を止める円弧状の上部ストッパー５ａと、回転支持部３ａより下側の部分で該ブレード３の他方の面が当接して回転を止める円弧状の下部ストッパー５ｂとが、吐出筒部２の内面に沿って所定の突出寸法で突設されて設けられている。上部ストッパー５ａの周方向の下端と下部ストッパー５ｂの周方向の上端との間隔は、ブレード３の一方向の回転を許容するように、少なくともブレード３とストッパーの厚み以上離して設けられている。
【００１９】
このようなブロワーは、その送風停止時には、図１（Ａ）（Ｂ）に示すようにブレード３が垂直向きで待機し、吐出筒部２内を塞いでいる。該ブロワーの送風時には、送風圧力で図１（Ｂ）の状態から図４（Ｂ）の状態に反時計方向に回転し、水平状態になって、その状態が風圧で保持され、吐出筒部２内を開く。送風が停止されると、ブレード３は重心が存在する方を下にして回転し、図１（Ａ）（Ｂ）に示す状態に戻る。
【００２０】
このようなブロワーでは、吐出筒部２内に、送風停止時に該吐出筒部２内を塞ぐと共に送風時に該吐出筒部２内を開くブレード３が設けられているので、送風停止時に該吐出筒部２内に外側から水が浸入しようとしても、該吐出筒部２内はブレード３とストッパー５ａ，５ｂとで塞がれていてファンケース１内への水の浸入を阻止することができる。吐出筒部２からの送風時には、送風による風圧でファンケース１内への水の浸入を阻止することができる。
【００２１】
この場合、本例では、吐出筒部２が水平向きに送風を行うように配置され、ブレード３は１枚で吐出筒部２内を塞ぐ構造のものであって、該ブレード３は送風停止時に垂直向きで吐出筒部２内を塞ぐように配置され、垂直向きで待機しているブレード３は重心が上下方向の下側に存在するように該ブレード３の上下方向の中央より上側の位置で水平方向の両側部が回転支持部３ａで回転自在に吐出筒部２の孔４に支持されているので、簡単な構造の安価なブレード３でファンケース１内への水の浸入を阻止することができる。
【００２２】
また、上記垂直向きで待機しているブレード３には、回転支持部３ａより上側の部分でブレード３の一方の面が当接して回転を止める上部ストッパー５ａと、回転支持部３ａより下側の部分でブレード３の他方の面が当接して回転を止める下部ストッパー５ｂとが吐出筒部２の内面に支持されて設けられているので、垂直向きで待機しているブレード３の待機姿勢の維持をこれら上部ストッパー５ａと下部ストッパー５ｂと良好に行うことができる。また、円弧状の各ストッパー５ａ，５ｂにブレード３が当たって、水の浸入を阻止する。
【００２３】
なお、吐出筒部２が垂直方向を向くようにブロワーが配置されている場合には、ブレード３はその中央Ｐを通る線上の両側に設けた回転支持部３ａで、送風停止時に水平状態でバランスするようにブレード３の形状を考慮し、例えば左右の重量比を変え、自重で水平状態となるような形状として吐出筒部２に支持させればよい。
【００２４】
また、ブレード３の外周の２つの部分を逆向きのテーパ面とし、ブレード３が吐出筒部２内を閉じたときに、該ブレード３の外周が吐出筒部２の内周に接して止まるようにしてもよい。このようにすると、ストッパー５ａ，５ｂを省略することができる。
【図面の簡単な説明】
【００２５】
【図１】本発明のブロワーを実施するための最良の形態の一例で吐出筒部にブレードを組み込んだ状態の説明図である。
【図２】本例のブロワーの吐出筒部にブレードを組み込んでいない状態の説明図である。
【図３】本例で用いているブレードの説明図である。
【図４】本例のブロワーの吐出筒部内でブレードが開いた状態の説明図である。
【図５】従来のブロワーの平面図である。
【図６】従来のブロワーの吐出筒部の縦断面図である。
【符号の説明】
【００２６】
１    ファンケース
２    吐出筒部
３    ブレード
３ａ  回転支持部
４    孔
５ａ  上部ストッパー
５ｂ  下部ストッパー
【図１】
2005226589.tif 000003
【図２】
2005226589.tif 000004
【図３】
2005226589.tif 000005
【図４】
2005226589.tif 000006
【図５】
2005226589.tif 000007
【図６】
2005226589.tif 000008